(57)【要約】      （修正有）【課題】カソードの寿命を長くする。【解決手段】荷電粒子装置１は、エミッション電流に応じた強度の荷電粒子ビームを出射するカソード２１と、荷電粒子ビームが照射される試料面での電流密度を測定する電流密度測定部４１と、時間の経過に伴うエミッション電流を検出するエミッション電流検出部４３と、エミッション電流が減少傾向から増加傾向に変わったことが検出されると、電流密度と、カソードに供給されるフィラメント電力と、の依存性を測定する依存性測定部４４と、測定された依存性に基づいて、フィラメント電力の調整値を算出する調整値算出部４５と、を備える。【選択図】図１
2018098395.tif 000002
【特許請求の範囲】
【請求項１】
エミッション電流に応じた強度の荷電粒子ビームを出射するカソードと、
前記荷電粒子ビームが照射される試料面での電流密度を測定する電流密度測定部と、
時間の経過に伴う前記エミッション電流を検出するエミッション電流検出部と、
前記エミッション電流が減少傾向から増加傾向に変わったことが検出されると、前記電流密度と、前記カソードに供給されるフィラメント電力と、の依存性を測定する依存性測定部と、
前記測定された依存性に基づいて、前記フィラメント電力の調整値を算出する調整値算出部と、を備える、荷電粒子装置。
【請求項２】
前記調整値算出部は、前記電流密度を一定に維持可能な前記調整値を算出する、請求項１に記載の荷電粒子装置。
【請求項３】
前記フィラメント電力に前記調整値を加算した値が所定の閾値を下回るか否かを判定するフィラメント電力判定部と、
前記フィラメント電力判定部にて前記閾値を下回ると判定されると、前記カソードに供給される前記フィラメント電力を前記調整値に基づいて増加させるフィラメント電力調整部と、を備える、請求項１または２に記載の荷電粒子装置。
【請求項４】
前記フィラメント電力判定部にて前記閾値以上と判定されると、前記カソードの交換を報知する交換報知部を備える、請求項３に記載の荷電粒子装置。
【請求項５】
前記依存性測定部は、前記エミッション電流検出部にて前記増加傾向に変わったことが検出された場合、前記フィラメント電力の増加に対して前記電流密度が単調増加する前記依存性を測定する、請求項１乃至４のいずれか１項に記載の荷電粒子装置。
【請求項６】
エミッション電流に応じた量の荷電粒子ビームを出射するカソードと、
前記カソードから出射された荷電粒子ビームの強度を制御する駆動制御部と、
前記荷電粒子ビームを試料面に照射させて描画を行う描画制御部と、を備え、
前記描画制御部は、
前記荷電粒子ビームが照射される試料面での電流密度を測定する電流密度測定部と、
時間の経過に伴う前記エミッション電流を検出するエミッション電流検出部と、
前記エミッション電流が減少傾向から増加傾向に変わったことが検出されると、前記電流密度と、前記カソードに供給されるフィラメント電力と、の依存性を測定する依存性測定部と、
前記測定された依存性に基づいて、前記フィラメント電力の調整値を算出する調整値算出部と、を有する、荷電粒子描画装置。
【請求項７】
エミッション電流に応じた量の荷電粒子ビームをカソードから出射し、
前記荷電粒子ビームが照射される試料面での電流密度を測定し、
時間の経過に伴う前記エミッション電流を検出し、
前記エミッション電流が減少傾向から増加傾向に変わったことが検出されると、前記電流密度と、前記カソードに供給されるフィラメント電力と、の依存性を測定し、
前記測定された依存性に基づいて、前記フィラメント電力の調整値を算出する、荷電粒子ビーム制御方法。
【発明の詳細な説明】
【技術分野】
【０００１】
本発明の実施形態は、荷電粒子装置、荷電粒子描画装置および荷電粒子ビーム制御方法に関する。
【背景技術】
【０００２】
電子ビーム等の荷電粒子ビームを用いた描画装置は、本質的に優れた解像性能を有するため、高集積の半導体製造プロセス等で用いられている。電子ビームが照射される試料面の電流密度が一定でないと、高品質の描画ができないことから、試料面の電流密度をモニタして、電流密度の変動量が閾値を超えると、電子ビームを出射するカソードのエミッション電流を調整して、電流密度が一定になるような制御を行う機能を備えた描画装置が提案されている。
【先行技術文献】
【特許文献】
【０００３】
【特許文献１】特開２００９−１００７８号公報
【特許文献２】特開２０１４−１６５０７５号公報
【発明の概要】
【発明が解決しようとする課題】
【０００４】
しかしながら、カソードは使用していくうちに先端形状が変化し、エミッション電流を変化させても、試料面の電流密度が変化する割合が小さくなる。このため、電流密度を一定に維持しようとすると、エミッション電流を大きく変化させなければならなくなる。よって、エミッション電流の上昇が急激になり、制御不可能となって、カソードの交換時期を早めてしまうという問題がある。
【０００５】
本発明は、カソードの寿命を長くすることができる荷電粒子装置、荷電粒子描画装置および荷電粒子ビーム制御方法を提供するものである。
【課題を解決するための手段】
【０００６】
一態様によれば、エミッション電流に応じた強度の荷電粒子ビームを出射するカソードと、
前記荷電粒子ビームが照射される試料面での電流密度を測定する電流密度測定部と、
時間の経過に伴う前記エミッション電流を検出するエミッション電流検出部と、
前記エミッション電流が減少傾向から増加傾向に変わったことが検出されると、前記電流密度と、前記カソードに供給されるフィラメント電力と、の依存性を測定する依存性測定部と、
前記測定された依存性に基づいて、前記フィラメント電力の調整値を算出する調整値算出部と、を備える、荷電粒子装置が提供される。
【０００７】
前記調整値算出部は、前記電流密度を一定に維持可能な前記調整値を算出してもよい。
【０００８】
前記フィラメント電力に前記調整値を加算した値が所定の閾値を下回るか否かを判定するフィラメント電力判定部と、
前記フィラメント電力判定部にて前記閾値を下回ると判定されると、前記カソードに供給される前記フィラメント電力を前記調整値に基づいて増加させるフィラメント電力調整部と、さらにを備えてもよい。
【０００９】
前記フィラメント電力判定部にて前記閾値以上と判定されると、前記カソードの交換を報知する交換報知部をさらに備えてもよい。
【００１０】
前記依存性測定部は、前記エミッション電流検出部にて前記増加傾向に変わったことが検出された場合、前記フィラメント電力の増加に対して前記電流密度が単調増加する前記依存性を測定してもよい。
【００１１】
他の一態様によれば、エミッション電流に応じた量の荷電粒子ビームを出射するカソードと、
前記カソードから出射された荷電粒子ビームの強度を制御する駆動制御部と、
前記荷電粒子ビームを試料面に照射させて描画を行う描画制御部と、を備え、
前記描画制御部は、
前記荷電粒子ビームが照射される試料面での電流密度を測定する電流密度測定部と、
時間の経過に伴う前記エミッション電流の変化を検出するエミッション電流検出部と、
前記エミッション電流が減少傾向から増加傾向に変わったことが検出されると、前記電流密度と、前記カソードに供給されるフィラメント電力と、の依存性を測定する依存性測定部と、
前記測定された依存性に基づいて、前記フィラメント電力の調整値を算出する調整値算出部と、を有する、荷電粒子描画装置が提供される。
【００１２】
他の一態様によれば、エミッション電流に応じた量の荷電粒子ビームをカソードから出射し、
前記荷電粒子ビームが照射される試料面での電流密度を測定し、
時間の経過に伴う前記エミッション電流の変化を検出し、
前記エミッション電流が減少傾向から増加傾向に変わったことが検出されると、前記電流密度と、前記カソードに供給されるフィラメント電力と、の依存性を測定し、
前記測定された依存性に基づいて、前記フィラメント電力の調整値を算出する、荷電粒子ビーム制御方法が提供されてもよい。
【図面の簡単な説明】
【００１３】
【図１】一実施形態による荷電粒子装置の概略的なブロック図。
【図２】ＰＩＤ制御部の処理動作の一例を示すフローチャート。
【図３】時間の経過に伴うエミッション電流の変化の様子を示すグラフ。
【図４Ａ】エミッション電流が単調減少する時間帯にフィラメント電力を変化させた場合の電流密度が変化する様子を示すグラフ。
【図４Ｂ】エミッション電流の極小点付近の時間帯にフィラメント電力を変化させた場合の電流密度が変化する様子を示すグラフ。
【図４Ｃ】エミッション電流が単調増加する時間帯にフィラメント電力を変化させた場合の電流密度が変化する様子を示すグラフ。
【図５】フィラメント電力を複数通りに変化させた場合のカソードのエミッション電流と試料面の電流密度との関係を示すグラフ。
【発明を実施するための形態】
【００１４】
以下、図面を参照しながら、本発明の一実施形態を説明する。図１は一実施形態による荷電粒子装置１の概略的なブロック図である。図１の荷電粒子装置１は、電子ビーム描画装置２である。図１の電子ビーム描画装置２は、描画部３と制御部４とを備えている。描画部３は、試料に所望のパターンを描画するものである。制御部４は描画部３を制御する。
【００１５】
描画部３は、電子鏡筒５と、描画室６とを有する。電子鏡筒５の内部には、電子銃７と、照明レンズ８と、ブランキング偏向器９と、ブランキングアパーチャ１０と、第１成形アパーチャ１１と、成形レンズ１２と、成形偏向器１３と、第２成形アパーチャ１４と、縮小レンズ１５と、対物レンズ１６と、副偏向器１７と、主偏向器１８とが設けられている。描画室６の内部には、移動可能に配置されたＸＹステージ１９が設けられている。ＸＹステージ１９には、照射される電子ビームの電流を測定するためのビーム吸収電極（ファラデーカップ）２０が設けられている。ＸＹステージ１９上には、描画対象となる試料が載置されている。試料は、半導体ウエハにパターンを転写する露光用のマスク基板などである。半導体ウエハを試料として用いて、半導体ウエハに直接パターンを描画してもよい。電子銃７は、カソード２１とアノード２２を有する。カソード２１は、エミッタ２３とウェネルト電極２４を有する。アノード２２は接地されている。
【００１６】
制御部４は、電子銃電源部３１と描画制御部３２を有する。電子銃電源部３１は、定電流源３３と、可変電圧源３４と、電流計３５と、電圧計３６と、駆動制御部３７とを有する。定電流源３３は、エミッタ２３の両極に所定の加熱電流を流す。可変電圧源３４は、エミッタ２３の両極の中間電圧ノードとウェネルト電極２４との間に所定のバイアス電圧（ウェネルト電圧）を印加する。可変電圧源３４の一端側には、直流電圧源３８を介して、電流計３５が接続されている。電流計３５は、カソード２１に流れるエミッション電流を計測する。また、可変電圧源３４には電圧計３６が並列接続されている。電圧計３６は、上述したバイアス電圧（ウェネルト電圧）を計測する。駆動制御部３７は、電流計３５と電圧計３６の計測結果をモニタするとともに、描画制御部３２の出力信号に基づいて、可変電圧源３４を制御する。
【００１７】
描画制御部３２は、電流密度測定部４１とＰＩＤ制御部４２を有する。電流密度測定部４１は、試料面の電流密度を測定する。ＰＩＤ制御部４２は、電流密度測定部４１で測定した試料面の電流密度に基づいて、エミッション電流の目標値を演算する。演算された目標値は駆動制御部３７に送られる。駆動制御部３７は、ＰＩＤ制御部４２から受け取った目標値に基づき可変電圧源３４を制御する。より具体的には、駆動制御部３７は、目標値に基づいてバイアス電圧を帰還制御する。
【００１８】
ＰＩＤ制御部４２は、エミッション電流検出部４３と、依存性測定部４４と、調整値算出部４５とを有する。エミッション電流検出部４３は、時間の経過に伴うエミッション電流の変化が減少傾向から増加傾向に変わったことを検出する。依存性測定部４４は、時間の経過に伴うエミッション電流の変化が増加傾向に変わったことが検出されると、電流密度と、カソード２１に供給されるフィラメント電極との依存性を測定する。調整値算出部４５は、測定された依存性に基づいて、フィラメント電力の調整値を算出する。
【００１９】
ＰＩＤ制御部４２は、フィラメント電力判定部４６とフィラメント電力調整部４７を有していてもよい。フィラメント電力判定部４６は、フィラメント電力に調整値を加算した値が所定の閾値を下回るか否かを判定する。フィラメント電力調整部４７は、フィラメント電力判定部４６にて閾値を下回ると判定されると、カソード２１に供給されるフィラメント電力を調整値に基づいて増加させる。
【００２０】
ＰＩＤ制御部４２は、交換報知部４８を有していてもよい。交換報知部４８は、フィラメント電力判定部４６にて閾値以上と判定されると、カソード２１の交換を報知する。
【００２１】
次に、図１の電子鏡筒５および描画室６内の動作を説明する。電子銃７から出射された電子ビームは、照明レンズ８により、第１成形アパーチャ１１の全体に照明される。第１成形アパーチャ１１には、矩形の孔が設けられている。よって、電子ビームは、第１成形アパーチャ１１により、矩形形状の第１アパーチャ像に成形される。第１成形アパーチャ１１を通過した第１アパーチャ像の電子ビームは、成形レンズ１２により第２成形アパーチャ１４上に投影される。第２成形アパーチャ１４上での第１アパーチャ像の位置は、成形偏向器１３により偏向制御され、ビーム形状と寸法を変化させることができる。その結果、電子ビームは成形される。第２成形アパーチャ１４を通過した第２アパーチャ像の電子ビームは、縮小レンズ１５で縮小され、対物レンズ１６により焦点を合わせて、主偏向器１８と副偏向器１７により偏向される。その結果、連続移動するＸＹステージ１９上の試料の位置に照射される。
【００２２】
また、試料上の電子ビームが所望の照射量を試料に入射させる照射時間に達した場合、ブランキング制御が行われる。ブランキング制御は、試料上に必要以上に電子ビームが照射されないように、例えば静電型のブランキング偏向器９で電子ビームを偏向するとともに、ブランキングアパーチャ１０で電子ビームをカットする。これにより、電子ビームが試料面上に到達しなくなる。ブランキング偏向器９の偏向電圧は、描画制御部３２によって制御される。また、電子鏡筒５内と描画室６内は、不図示の真空ポンプにより、大気圧よりも低い圧力に維持されている。
【００２３】
次にＰＩＤ制御部４２の処理動作を説明する。図２はＰＩＤ制御部４２の処理動作の一例を示すフローチャートである。ＰＩＤ制御部４２は、当初は、試料面の電流密度が一定になるように、エミッション電流とバイアス電圧を制御する（ステップＳ１）。試料面の電流密度は、電流密度測定部４１にて測定する。エミッション電流は、電流計３５にて測定し、バイアス電圧は電圧計３６にて測定する。ＰＩＤ制御部４２は、これらの測定結果に基づいて、試料面の電流密度が一定になるように、エミッション電流とバイアス電圧を帰還制御する。エミッタ２３電流とバイアス電圧の調整は、可変電圧源３４の電圧値を調整することで行われる。
【００２４】
カソード２１は、経時劣化により、その先端部の直径が小さくなる。このため、エミッション電流を一定にしている場合、直径が小さくなるのに電流量が変わらないので、電流密度が増大する。その一方で、カソード２１を使用していくと、電子ビームの全電流に対する中心部分の電流の割合は小さくなる。この変化は描画に使う電子ビームの電流密度を減少させる方向に働く。このように、カソード２１の使用中は、上述した電流密度が増大する変化と、電流密度が減少する変化とが同時に起きていると考えられる。従来は、使用する電流密度が小さかったために、電流密度が減少する変化を考慮に入れる必要はなかったが、使用する電流密度が大きくなると、電流密度が減少する変化も考慮に入れる必要がある。
【００２５】
図３は時間の経過に伴うエミッション電流の変化の様子を示すグラフである。図３の横軸は時間、縦軸はエミッション電流である。図３からわかるように、エミッション電流は、時間の経過に伴っていったん単調減少し、極小点に達すると、単調増加する。エミッション電流が単調減少する時間帯Ｔ１は、電流密度が増大する変化が電流密度が減少する変化よりも支配的であり、時間とともに電流密度が増大していくため、電流密度を一定に維持するにはエミッション電流を減少させる必要がある。エミッション電流の極小点付近の時間帯Ｔ２は、電流密度が増大する変化と電流密度が減少する変化とが拮抗しており、電流密度が変化しないため、特に制御を行わなくても、エミッション電流は一定に維持される。エミッション電流が単調増加する時間帯Ｔ３では、電流密度が増大する変化よりも電流密度が減少する変化が支配的であり、時間とともに電流密度は減少していくため、電流密度を一定に維持するにはエミッション電流を増大させる必要がある。
【００２６】
図４Ａはエミッション電流が単調減少する時間帯Ｔ１にフィラメント電力を変化させた場合の電流密度が変化する様子を示すグラフである。図４Ｂはエミッション電流の極小点付近の時間帯Ｔ２にフィラメント電力を変化させた場合の電流密度が変化する様子を示すグラフである。図４Ｃはエミッション電流が単調増加する時間帯Ｔ３にフィラメント電力を変化させた場合の電流密度が変化する様子を示すグラフである。図４Ａ〜図４Ｃでは、フィラメント電力と電流密度の関係を示す実線曲線に加えて、フィラメント電力とバイアス電圧の関係を示す破線曲線も示している。
【００２７】
図４Ａに示すように、エミッション電流が単調減少する時間帯Ｔ１では、フィラメント電力を大きくすると、電流密度はいったんピークになると、その後は単調減少する。図４Ｂに示すように、エミッション電流の極小点付近の時間帯Ｔ２では、フィラメント電力を大きくすると、電流密度は徐々に大きくなって飽和値に達した後は、増えない。図４Ｃに示すように、エミッション電流が単調増加する時間帯Ｔ３では、フィラメント電力を大きくすると、電流密度も単調増加する。一方、バイアス電圧は、図４Ａ〜図４Ｃのいずれにおいても、フィラメント電力の増大に伴って、単調増加する。
【００２８】
図４Ａ〜図４Ｃの結果より、図４Ｃの時間帯Ｔ３であれば、フィラメント電力の調整によって、試料面の電流密度を制御できることがわかる。これはすなわち、図４Ｃの時間帯Ｔ３であれば、試料面の電流密度が変化しても、フィラメント電力の調整により、試料面の電流密度を一定に維持制御できることを示す。
【００２９】
そこで、図２のステップＳ１の処理の後に、エミッション電流検出部４３は、時間の経過に伴うエミッション電流の変化が減少傾向から増加傾向に変わったか否かを判定する（ステップＳ２）。ステップＳ２の判定がＮＯの場合は、ステップＳ１およびステップＳ２の処理を繰り返す。ステップＳ２の判定がＮＯになるのは、図３の時間帯Ｔ２以前である。ステップＳ２の判定がＮＯの場合は、図４Ａまたは図４Ｂからわかるように、フィラメント電力を大きくしても、電流密度を大きくすることができない可能性が高い。そこで、ステップＳ２の判定がＮＯの間は、フィラメント電力を大きくする制御は行わない。
【００３０】
一方、ステップＳ２の判定がＹＥＳの場合は、図３の時間帯Ｔ３に達したと判定される。このため、依存性測定部４４は、試料面の電流密度とフィラメント電力との依存性を測定する（ステップＳ３）。ここでは、フィラメント電力を複数通りに変化させて、試料面の電流密度の値を測定する。そして、調整値算出部４５は、依存性測定部４４が測定した依存性に基づいて、フィラメント電力の調整値を算出する（ステップＳ４）。調整値は、試料面の電流密度を一定に維持できるフィラメント電力になるように算出される。そこで、この調整値を算出するにあたっては、複数のフィラメント電力についての電流密度を測定した結果が不可欠となる。
【００３１】
次に、フィラメント電力判定部４６は、フィラメント電力に調整値を加算した値が所定の閾値を下回るか否かを判定する（ステップＳ５）。カソード２１に与えるフィラメント電力には限界値があり、限界値以上の電力をカソード２１に与えることはできない。よって、ステップＳ５における所定の閾値は限界値に合わせて設定されている。
【００３２】
ステップＳ５で閾値を下回ると判定されると、フィラメント電力調整部４７は、フィラメント電力に調整値を加算した値を新たなフィラメント電力としてカソード２１に与える（ステップＳ６）。
【００３３】
図５はフィラメント電力を複数通りに変化させた場合のカソード２１のエミッション電流と試料面の電流密度との関係を示すグラフである。図５からわかるように、フィラメント電力を大きくするほど、同じエミッション電流を与えた場合でも電流密度は大きくなる。よって、ステップＳ６でより大きなフィラメント電力をカソード２１に与えれば、エミッション電流を極端に増やさなくても、電流密度を大きくすることができ、試料面の電流密度を一定に維持する制御を行いやすくなる。
【００３４】
ステップＳ６の処理が終了すると、再度ステップＳ１以降の処理を繰り返す。すなわち、ステップＳ６で調整したフィラメント電力をカソード２１に与えた状態で、時間の経過に伴うエミッション電流が増加傾向になったことが再度検出されると、電流密度とフィラメント電力の依存性を測定した後、フィラメント電力の調整を再度行うか否かを判定する。
【００３５】
上述した処理を繰り返すと、調整後のフィラメント電力が徐々に大きくなり、やがてはステップＳ５で、フィラメント電力に調整値を加算した値が閾値以上となる。この場合は、カソード２１の交換時期が来たと判断して、交換報知部４８はカソード２１の交換を報知する（ステップＳ７）。報知の仕方は任意であり、例えば、表示装置を設けて、カソード２１の交換が必要である情報を表示してもよい。あるいは、音声や印刷装置の印字にてカソード２１の交換を出力してもよい。
【００３６】
上述した実施形態では、荷電粒子装置１を荷電粒子描画装置に適用した例を説明したが、荷電粒子を用いた検査装置や露光装置などの種々の装置にも適用可能である。また、荷電粒子は、電子線だけでなく、Ｘ線やα線などの種々の荷電粒子にも適用可能である。さらに、図１では、シングルビームを用いて描画を行う例を示したが、マルチビームを用いて描画を行う描画装置などの荷電粒子装置１にも適用可能である。
【００３７】
このように、本実施形態では、時間の経過に伴うエミッション電流の変化が減少傾向から増加傾向に変わったタイミングで、電流密度とフィラメント電力との依存性を測定し、その依存性に基づいてフィラメント電力の調整値を算出するため、エミッション電流を急激に増加させることなく、フィラメント電力の調整により試料面の電流密度を一定に制御できる。
【００３８】
上述した実施形態で説明した荷電粒子装置１および荷電粒子描画装置の少なくとも一部は、ハードウェアで構成してもよいし、ソフトウェアで構成してもよい。ソフトウェアで構成する場合には、荷電粒子装置１および荷電粒子描画装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００３９】
また、荷電粒子装置１および荷電粒子描画装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１  荷電粒子装置、２  電子ビーム描画装置、３  描画部、４  制御部、５  電子鏡筒、６  描画室、７  電子銃、８  照明レンズ、９  ブランキング偏向器、１０  ブランキングアパーチャ、１１  第１成形アパーチャ、１２  成形レンズ、１３  成形偏向器、１４  第２成形アパーチャ、１５  縮小レンズ、１６  対物レンズ、１７  副偏向器、１８  主偏向器、１９  ＸＹステージ、２１  カソード、２２  アノード、２３  エミッタ、２４  ウェネルト電極、３１  電子銃電源部、３２  描画制御部、３３  定電流源、３４  可変電圧源、３５  電流計、３６  電圧計、３７  駆動制御部、４１  電流密度測定部、４２  ＰＩＤ制御部、４３  エミッション電流検出部、４４  依存性測定部、４５  調整値算出部、４６  フィラメント電力判定部、４７  フィラメント電力調整部、４８  交換報知部
【図１】
2018098395.tif 000003
【図２】
2018098395.tif 000004
【図３】
2018098395.tif 000005
【図４Ａ】
2018098395.tif 000006
【図４Ｂ】
2018098395.tif 000007
【図４Ｃ】
2018098395.tif 000008
【図５】
2018098395.tif 000009